(57)【要約】【課題】  本発明は、動物の排泄物収集袋として再利用又は使用済みの袋の使用を可能とし、収集袋の交換並びに支持ベースに対する取付け及び支持ベースからの取外しを容易にする、動物の排泄物収集器を与えること、を目的とする。【解決手段】  当該排泄物収集器は、支持ベース及び収集装置を有する。支持ベースは、第１のパッド及び複数の第１の磁気タブレットを有する。第１のパッドは、その長さに沿って分布される複数の間隔をあけられた第１の保持ホールを有して形成される。各第１の磁気タブレットは、第１の保持ホールの夫々において受けられる。収集装置は、第２のパッド、複数の第２の磁気タブレット、第２のパッドに対して接続される可撓性の収集袋を有する。第２のパッドは、複数の第２の保持ホールを有して形成される。各第２の磁気タブレットは、第２の保持ホールの夫々において受けられ、第１の磁気タブレットの夫々に対して磁気によって引きつけられる。【選択図】  図１
2007275061.tif 000002
【特許請求の範囲】
【請求項１】
環境を損なわない動物の排泄物収集器であって、
支持ベースと、ハーネスユニットと、収集装置と、によって特徴付けられ、
前記支持ベースは、一般的にＵ字型の第１のパッドと、複数の第１の磁気タブレットを有する第１の磁気ユニットとを有し、前記第１のパッドは、第１の排出開口を定義付け、また複数の間隔をあけられた第１の保持ホールを有して形成され、前記第１の保持ホールは、前記第１の排出開口を取り囲むように前記第１のパッドの長さに沿って分布され、前記第１の磁気タブレットの各々は、前記第１の保持ホールの夫々においてしっかりと受けられ、
前記ハーネスユニットは、前記支持ベースに対して接続され、前記支持ベースを動物に対して付けるよう適合され、
前記収集装置は、前記支持ベースに対して磁気によって且つ着脱可能に取り付けられ、一般的にＵ字型の第２のパッドと、複数の第２の磁気タブレットを有する第２の磁気ユニットと、前記第１のパッドに対して接続され、且つ入口を定義付ける可撓性の収集袋と、を有し、前記第２のパッドは、前記第１の保持ホールに対して夫々対応する複数の間隔をあけられた第２の保持ホールを有して形成され、前記第２の磁気タブレットの各々は、第２の保持ホールの夫々においてしっかりと受けられ、且つ前記第１の磁気タブレットの夫々に対して磁気によって引きつけられ、前記支持ベースに対する前記収集袋の取付け、並びに前記収集袋の前記入口と前記第１のパッドの前記第１の排出開口との位置合わせが可能であるようにする、
環境を損なわない動物の排泄物収集器。
【請求項２】
前記第１及び第２のパッドの各々は、２つのフリーアーム部を有する、ことを特徴とし、
前記第１の磁気ユニットは、前記第１のパッドの前記フリーアーム部において夫々配置される２列の前記第１の磁気タブレットへと分けられ、前記第２の磁気ユニットは、前記第２のパッドの前記フリーアーム部において夫々配置される２列の前記第２の磁気タブレットへと分けられ、前記第１及び第２のパッドの各々は、接触表面を有し、前記第１及び第２のパッドの前記接触表面は、直面するよう互いに向かって対面し、前記第１及び第２の磁気タブレットの各々は、前記第１及び第２のパッドの夫々の前記接触表面に対して近接して配置される接触端部を有する、
請求項１記載の環境を損なわない動物の排泄物収集器。
【請求項３】
前記第１の磁気ユニットの前記列の前記第１の磁気タブレットの前記接触端部は、第１の磁極性を有し、前記第２の磁気タブレットの各々の前記接触端部は、前記第１の磁極性に対して対向する第２の磁極性を有する、
ことを更なる特徴とする、
請求項２記載の環境を損なわない動物の排泄物収集器。
【請求項４】
前記第１の磁気ユニットの前記列のうち一方の前記第１の磁気タブレットの前記接触端部は、第１の磁極性を有し、前記第１の磁気ユニットの前記列の他方の前記第１の磁気タブレットの前記接触端部は、前記第１の磁極性に対して対向する第２の磁極性を有し、前記第２の磁気タブレットの各々の前記接触端部は、前記第１の磁気タブレットの夫々の前記接触端部の磁極性に対して対向する磁極性を有する、
ことを更なる特徴とする、
請求項２記載の環境を損なわない動物の排泄物収集器。
【請求項５】
前記第１の磁気ユニットの前記列の各々の前記第１の磁気タブレットの各々の前記接触端部は、前記第１の磁気ユニットの前記列の夫々の前記第１の磁気タブレットの近接する１つの前記接触端部の磁極性に対して対向する磁極性を有し、前記第２の磁気タブレットの各々の前記接触端部は、前記第１の磁気タブレットの夫々の前記接触端部の磁極性に対して対向する磁極性を有する、
ことを特徴とする、
請求項２記載の環境を損なわない動物の排泄物収集器。
【請求項６】
前記第１及び第２の磁気タブレットの各々は、円筒形であり、前記第１及び第２の保持ホールの夫々においてぴったりと受けられる、
ことを特徴とする、
請求項１記載の環境を損なわない動物の排泄物収集器。
【請求項７】
前記第１及び第２のパッドの各々は、２つのフリーアーム部と、前記フリーアーム部を相互接続する後部とを有する、ことを特徴とし、
前記第１及び第２のパッドの各々の前記フリーアーム部は、第１の方向において互いに対して対向し、前記第１及び第２のパッドの各々の前記フリーアーム部は、互いに対してそれから屈曲される屈曲自由端を有し、前記第１及び第２のパッドの前記フリーアーム部の前記屈曲自由端は、それの間にギャップを協働的に定義付け、前記ギャップは、前記第１の方向に対して垂直である第２の方向において前記第１及び第２のパッドの前記後部に対して対向し、また前記第１のパッドにおける前記第１の排出開口と空間的に連絡する、
請求項１記載の環境を損なわない動物の排泄物収集器。
【請求項８】
前記第１及び第２のパッドの各々の前記フリーアーム部の各々の前記屈曲自由端は、テイパされる、
ことを更なる特徴とする、
請求項７記載の環境を損なわない動物の排泄物収集器。
【請求項９】
前記収集袋は、前記入口を定義付ける開放端を有するメインボディと、前記メインボディの前記開放端から湾曲されて折り畳まれ、その間にカフ空間を定義付けるようにされるカフとを有し、前記第２のパッドは、前記第１の排出開口に適合する第２の排出開口を定義付け、前記カフ空間へと取外し可能に挿入され、前記メインボディの前記開放端は、前記第１及び第２のパッドの前記接触表面の間に挟まれ、且つ接触し、前記収集袋の前記メインボディは、前記第２の排出開口の内側周辺に沿って前記第２の排出開口を介して延在する、
ことを更なる特徴とする、
請求項２記載の環境を損なわない動物の排泄物収集器。
【請求項１０】
前記収集袋は、プラスチック袋の形状である、
ことを更なる特徴とする、
請求項９記載の環境を損なわない動物の排泄物収集器。
【請求項１１】
前記ハーネスユニットは、接続リングと、首輪に対して接続されるよう適合される前方端及び前記接続リングに対して接続される後方端を有する前方トレーリングストラップと、前記接続リングに対して接続される前方端及び前記第１のパッドに対して接続される後方端を有する一組の後方トレーリングストラップと、前記接続リングに対して接続される前方端及び前記第１のパッドに対して接続される後方端を有する一組の側方トレーリングストラップと、を有する、
ことを特徴とする、
請求項１記載の環境を損なわない動物の排泄物収集器。
【請求項１２】
前記前方及び後方トレーリングストラップのうち選択された一方の端部と、前記側方トレーリングストラップとを順番に結びつけるクランピングユニットによって、更に特徴付けられ、
前記クランピングユニットは、２つの可撓性のクランピング片を有し、前記クランピング片の各々は、舌部及び溝を有して夫々形成される２つの対向する端部を有し、前記クランピング片の一方の前記舌部及び前記溝は、前記クランピング片の他方の前記溝及び前記舌部と夫々圧入式に係合可能である、
請求項１１記載の環境を損なわない動物の排泄物収集器。
【請求項１３】
前記第２のパッドは可撓性である、ことを特徴とする、
請求項１記載の環境を損なわない動物の排泄物収集器。
【請求項１４】
環境を損なわない動物の排泄物収集器であって、
一般的にＵ字型の第１のパッドと、ハーネスユニットと、一般的にＵ字型の第２のパッドと、可撓性の収集袋と、によって特徴付けられ、
前記第１のパッドは、第１の排出開口を定義付け、接触表面を有し、
前記ハーネスユニットは、前記第１のパッドに対して接続され、前記第１のパッドを動物に対して付けるよう適合され、
前記第２のパッドは、第２の排出開口を定義付け、接触表面を有し、前記第１のパッドに対して磁気によって引きつけられ、
前記可撓性の収集袋は、メインボディとカフとを有し、前記メインボディは、前記第１及び第２の排出開口と位置を合わせられる入口を定義付ける開放端を有し、前記カフは、前記メインボディの前記開放端から湾曲されて折り畳まれ、その間にカフ空間を定義付け、前記第２のパッドは、前記カフ空間へと取外し可能に挿入され、前記メインボディの前記開放端は、前記第２のパッドの長さに沿って延在する保持部を有し、前記第１及び第２のパッドの前記接触面の間に挟まれ、且つ接触し、前記収集袋の前記メインボディは、前記第２の排出開口の内側周辺に沿って前記第２の排出開口を介して延在する、
環境を損なわない動物の排泄物収集器。
【請求項１５】
前記収集袋の前記メインボディの前記開放端は、前記保持部から延在し、且つ前記第２のパッドの外側方向に配置される保持部を更に有する、
ことを特徴とする、
請求項１４記載の環境を損なわない動物の排泄物収集器。
【請求項１６】
前記第２のパッドは可撓性である、
請求項１４記載の環境を損なわない動物の排泄物収集器。
【請求項１７】
前記第１及び第２のパッドの少なくとも一方は、少なくとも１つの磁気タブレットを備えられる、
ことを特徴とする、
請求項１４記載の環境を損なわない動物の排泄物収集器。
【請求項１８】
収集袋に対して接続されるよう適合される環境を損なわない動物の排泄物収集器であって、
支持ベースと、ハーネスユニットと、収集装置と、によって特徴付けられ、
前記支持ベースは、第１のパッドと、複数の第１の磁気タブレットを有する第１の磁気ユニットとを有し、前記第１のパッドは、第１の排出開口を定義付け、また複数の間隔をあけられた第１の保持ホールを有して形成され、前記第１の保持ホールは、前記第１の排出開口を取り囲むように前記第１のパッドの長さに沿って分布され、前記第１の磁気タブレットの各々は、前記第１の保持ホールの夫々においてしっかりと受けられ、
前記ハーネスユニットは、前記支持ベースに対して接続され、前記支持ベースを動物に対して付けるよう適合され、
前記収集装置は、前記支持ベースに対して磁気によって且つ着脱可能に取り付けられ、第２のパッドと第２の磁気ユニットとを有し、前記第２のパッドは、前記第１のパッドに対して適合し、且つその間に収集袋の一部を挟むよう前記第１のパッドと協働するよう適合され、前記第２の磁気ユニットは、複数の第２の磁気タブレットを有し、前記第２のパッドは、前記第１の保持ホールに対して夫々対応する複数の間隔をあけられた第２の保持ホールを有して形成され、前記第２の磁気タブレットの各々は、前記第２の保持ホールの夫々においてしっかりと受けられ、且つ前記第１の磁気タブレットの夫々に対して磁気によって引きつけられる、
環境を損なわない動物の排泄物収集器。
【発明の詳細な説明】
【技術分野】
【０００１】
本発明は、環境を損なわない動物の排泄物収集器に係り、より特には、支持ベース、及び支持ベースに対して磁気によって取り付けられる収集装置を有する、環境を損なわない動物の排泄物収集器に係る。
【背景技術】
【０００２】
米国特許出願公開番号２００６／０１２４０７６  Ａ１（特許文献１）は、動物の排泄物収集器を開示する。該排泄物収集器は、支持ベース、支持ベースに対して接続されるハーネス手段、Ｕ字型保持部材、及び収集装置を有する。該Ｕ字型保持部材は、接着材料又は面ファスナー（ｈｏｏｋ  ａｎｄ  ｌｏｏｐ）手段を使用して、あるいは縫うことによって支持ベースに対して固定される。該収集装置は、収集袋、及び、収集袋の開放端に対して接着材料を使用して固定される上方リングを有し、支持ベースに対する収集装置の取付けを可能にするよう保持部材と係合可能である。上方リングは、接着材、締付け手段、又は面ファスナー手段を有してその上に与えられ得、同一のもの（ｔｈｅ  ｓａｍｅ）を２つに半分に折り畳むことによって、並びに、排泄物が収集袋に収集される際収集袋の開放端を封入するよう該半分を共に合わせることによって、上方リングが密封部材としての役割を果たすようにされる。支持ベース上に形成される保持部材は、接着材料又は面ファスナー装置であり得る。一例では、保持部材は、面ファスナー装置であり、Ｕ字型ブラケットは、使用され、且つ面ファスナー装置を介して支持ベースに対して取り付けられる。Ｕ字型ブラケットは、スロットを有して形成され、そこに上方リングの端部を係合し、従って支持ベースに対して収集袋を取り付けるようにする。
【０００３】
前述の従来通りの動物の排泄物収集器の不利点は、支持ベース上の保持部材に対する上方リング並びに収集袋及び／又はＵ字型ブラケットの取付けが接着材料又は面ファスナー装置を介して行われるため、上方リング又はＵ字型ブラケットと保持部材との間の取付け前の注意深い位置合わせが求められる、ということである。該不利点は、取付け作業中の時間の無駄及び不便性をもたらす。上方リング又はＵ字型ブラケットと保持部材との間の位置ずれは、上方リング又はＵ字型ブラケットを動物の排泄物と接触させる可能性を増大させ得、形成された組立体の外観に悪影響をもたらす。更には、かかる取付けはまた、保持部材からの収集装置の着脱において問題を引き起こす傾向があり、潤滑且つ迅速な着脱は達成が困難であり、また、接着材料又は面ファスナー装置に対する所望されない動物の体毛及び汚れの付着をもたらす。更には、支持ベースは、２つの対向するアーム及び動物の肛門と位置を合わせられる排出開口を定義付けるようアームと相互接続及び協働するクロス部材を有するＵ字型構造と、排出開口から離れたノッチと、を有する。該ノッチは、動物の尾根（ｔｈｅ  ｒｏｏｔ  ｏｆ  ｔｈｅ  ａｎｉｍａｌ’ｓ  ｔａｉｌ）がその場所でとどめられるように動物の尾根がそれを通して延在するようにし、また、動物の尾が収集袋と干渉するよう排出開口を介して延在することを防ぐようにする。更に、収集袋の開放端の周囲又は直径は、上方リング又は支持ベース上の保持部材の周囲又は直径の寸法と合致するよう求められる。故に、収集袋は、この特定の種類の製造を介して得られるのみであり得、再利用又は使用済みの袋から得られ得ないため、環境を配慮したものではない。また、収集袋の交換は、比較的不便である。クロス部材は、突き合わせ壁（ａｂｕｔｔｉｎｇ  ｗａｌｌ）としての役割をなすため、排泄中の動物の身体の屈曲により支持ベースが前方に引かれる際に、クロス部材は、動物の尾根を終端とするようにされ、従って支持ベースの更なる前方への動きを遮る。しかしながら、引く力（ｐｕｌｌｉｎｇ  ｆｏｒｃｅ）が比較的大きいため、動物の尾に対するクロス部材の突き合わせ（ａｂｕｔｍｅｎｔ）は、動物に対して不快感を与えがちであり、またハーネスのストラップのゆるみをもたらし得、したがって支持ベースの下方への動きをもたらす。これは同様に、動物の肛門から排出された動物の排泄物の経路へのクロス部材の配置をもたらし、したがって、クロス部材は動物の排泄物と望ましくなく接触される。更には、上述された動物の排泄物収集器は、ブルドッグ、シュナウザー、ドーベルマン等である比較的短い尾を有する犬に対しては適切ではない。これは、支持部材のクロス部材が、排泄中に犬の尾を通り過ぎる傾向があるためであり、したがって結果として、犬の尾は支持部材における排出開口又は収集袋へと延在するか、あるいは、排出開口と動物の肛門との間の位置のずれをもたらす。
【特許文献１】米国特許出願公開番号２００６／０１２４０７６  Ａ１
【発明の開示】
【発明が解決しようとする課題】
【０００４】
したがって、本発明の目的は環境を損なわない動物の排泄物収集器を与えることであり、当該排泄物収集器は、上述された先行技術の問題点を克服し得、動物の排泄物を収集する収集袋として再利用又は使用済みの袋の使用を可能とし、また、収集袋の交換、並びに収集袋の支持ベースに対する取付け及び支持ベースからの取外しを容易にする、ものである。
【課題を解決するための手段】
【０００５】
本発明の１つの態様によると、環境を損なわない動物の排泄物収集器が与えられる。当該排泄物収集器は、支持ベース、ハーネスユニット、及び収集装置を有する。支持ベースは、一般的にＵ字型の第１のパッドと、複数の第１の磁気タブレットを有する第１の磁気ユニットとを有する。第１のパッドは、第１の排出開口を定義付け、また複数の間隔をあけられた第１の保持ホールを有して形成され、第１の保持ホールは、第１の排出開口を取り囲むように第１のパッドの長さに沿って分布される。第１の磁気タブレットの各々は、第１の保持ホールの夫々においてしっかりと受けられる。ハーネスユニットは、支持ベースに対して接続され、支持ベースを動物に対して付けるよう適合される。収集装置は、支持ベースに対して磁気によって且つ着脱可能に取り付けられ、一般的にＵ字型の第２のパッドと、複数の第２の磁気タブレットを有する第２の磁気ユニットと、第１のパッドに対して接続され且つ入口を定義付ける可撓性の収集袋と、を有する。第２のパッドは、第１の保持ホールに対して夫々対応する複数の間隔をあけられた第２の保持ホールを有して形成される。第２の磁気タブレットの各々は、第２の保持ホールの夫々においてしっかりと受けられ、且つ第１の磁気タブレットの夫々に対して磁気によって引きつけられ、支持ベースに対する収集袋の取付け、並びに収集袋の入口と第１のパッドの第１の排出開口との位置合わせが可能であるようにする。
【０００６】
本発明の他の態様によると、環境を損なわない動物の排泄物収集器が与えられる。当該排泄物収集器は、一般的にＵ字型の第１のパッド、ハーネスユニット、一般的にＵ字型の第２のパッド、及び、可撓性の収集袋を有する。第１のパッドは、第１の排出開口を定義付け、接触表面を有する。ハーネスユニットは、第１のパッドに対して接続され、第１のパッドを動物に対して付けるよう適合される。第２のパッドは、第２の排出開口を定義付け、接触表面を有し、第１のパッドに対して磁気によって引きつけられる。可撓性の収集袋は、メインボディとカフとを有し、メインボディは、第１及び第２の排出開口と位置を合わせられる入口を定義付ける開放端を有する。カフは、メインボディの開放端から湾曲されて折り畳まれ、その間にカフ空間を定義付ける。第２のパッドは、カフ空間へと取外し可能に挿入される。メインボディの開放端は、第２のパッドの長さに沿って延在する保持部を有し、第１及び第２のパッドの接触面の間に挟まれ、且つ接触する。収集袋のメインボディは、第２の排出開口の内側周辺に沿って第２の排出開口を介して延在する。
【０００７】
本発明の更に他の態様によると、収集袋に対して接続されるよう適合される環境を損なわない動物の排泄物収集器が与えられる。当該排泄物収集器は、支持ベース、ハーネスユニット、及び、収集装置を有する。支持ベースは、第１のパッドと、複数の第１の磁気タブレットを有する第１の磁気ユニットとを有する。第１のパッドは、第１の排出開口を定義付け、また複数の間隔をあけられた第１の保持ホールを有して形成され、第１の保持ホールは、第１の排出開口を取り囲むように第１のパッドの長さに沿って分布され、第１の磁気タブレットの各々は、第１の保持ホールの夫々においてしっかりと受けられる。ハーネスユニットは、支持ベースに対して接続され、支持ベースを動物に対して付けるよう適合される。収集装置は、支持ベースに対して磁気によって且つ着脱可能に取り付けられ、第２のパッドと第２の磁気ユニットとを有し、第２のパッドは、第１のパッドに対して適合し、且つその間に収集袋の一部を挟むよう第１のパッドと協働するよう適合され、第２の磁気ユニットは、複数の第２の磁気タブレットを有する。第２のパッドは、第１の保持ホールに対して夫々対応する複数の間隔をあけられた第２の保持ホールを有して形成される。第２の磁気タブレットの各々は、第２の保持ホールの夫々においてしっかりと受けられ、且つ第１の磁気タブレットの夫々に対して磁気によって引きつけられる。
【発明を実施するための最良の形態】
【０００８】
本発明の他の特徴及び利点は、これより、添付の図面を参照して、本発明の望ましい実施例の詳細な説明において明らかとなる。
【０００９】
図１乃至図５は、犬等である動物に対する、本発明に従った環境を損なわない動物の排泄物収集器の望ましい実施例を図示する。当該排泄物収集器は、支持ベース２、ハーネスユニット３、及び収集装置４を有する。支持ベース２は、第１のパッド２１と、複数の第１の磁気タブレット２２１を有する第１の磁気ユニット２２とを有する。第１のパッド２１は、第１の排出開口２１０を定義付け、また複数の間隔をあけられた第１の保持ホール２１１を有して形成され、第１の保持ホール２１１は、第１の排出開口２１０を取り囲むように第１のパッド２１の長さに沿って分布される。第１の磁気タブレット２２１の各々は、第１の保持ホール２１１の夫々における第１のパッド２１においてしっかりと埋め込まれる（あるいは、夫々の第１の保持ホール２１１において単純に受けられる）。ハーネスユニット３は、支持ベース２に対して接続され、支持ベース２を動物に対して付けるよう適合される。収集装置４は、支持ベース２に対して磁気によって且つ着脱可能に取り付けられ、第１のパッド２１に対して適合する第２のパッド４１、複数の第２の磁気タブレット４２１を有する第２の磁気ユニット４２、及び、第２のパッド４１に対して接続され、且つ入口４３０を定義付ける可撓性の収集袋、を有する。第２のパッド４１は、第１のパッド２１の形状に適合する形状を有し、第１の排出開口２１０に対して適合する第２の排出開口を定義付け、また、第１の保持ホール２１１に対して夫々対応する複数の間隔をあけられた第２の保持ホール４１１を有して形成される。第２の磁気タブレット４２１の各々は、第２の保持ホール４１１の夫々における第２のパッド４１においてしっかりと埋め込まれ（あるいは、夫々の第２の保持ホール４１１において単純に受けられ）、また、第１の磁気タブレット２１１の夫々に対して磁気によって引きつけられ、支持ベース２に対する収集袋４３の取付け、並びに収集袋４３の入口４３０と第１のパッド２１の第１の排出開口２１０及び第２のパッド４１の第２の排出開口４１０との位置合わせが可能であるようにする。
【００１０】
この実施例において、第１及び第２のパッド２１，４１の各々は、一般的にＵ字型であり、ゴム及びエラストマ等である弾性材料を有して作られ、２つのフリーアーム部２１２（４１２）を有する。第１の磁気ユニット２２は、第１のパッド２１のフリーアーム部２１２において夫々配置される２列の第１の磁気タブレット２２１へと分けられる第２の磁気ユニット４２は、第２のパッド４１のフリーアーム部４１２において夫々配置される２列の第２の磁気タブレット４２１へと分けられる。第１及び第２のパッド２１，４１の各々は、接触表面２１３（４１３）を有する。第１及び第２のパッド２１，４１の接触表面２１３，４１３は、直面するよう互いに向かって対面する。第１及び第２の磁気タブレット２２１，４２１の各々は、第１及び第２のパッドの２１，４１夫々の接触表面２１３（４１３）に対して近接して配置され、実質的に該接触表面と重なる（ｆｌｕｓｈ）。第１の磁気ユニット２２の列の第１の磁気タブレット２２１の接触端部２２１１は、第１の磁極性を有し、第２の磁気タブレット４２１の各々の接触端部４２１１は、第１の磁極性に対して対向する第２の磁極性を有する。
【００１１】
この実施例において、第１及び第２の磁気タブレット２２１，４２１の各々は、円筒形であり、第１及び第２の保持ホール２１１，４１１の夫々においてぴったりと受けられる。第１の磁気タブレット２２１又は第２の磁気タブレット４２１の各々は、望ましくは、第１の磁気タブレット２２１又は第２の磁気タブレット４２１のうち近接する１つからの距離より小さい直径を有する。
【００１２】
この実施例では、収集袋４３は、透明なプラスチック袋の形状であり、入口４３０を定義付ける開放端４３１１を有するメインボディ４３１と、メインボディ４３１の開放端４３１１から湾曲されて折り畳まれ、その間にカフ空間４３２０を定義付けるようにされるカフ４３２とを有する。第２のパッド４１は、カフ空間４３２０へと取外し可能に挿入される。メインボディ４３１の開放端４３１１は、第２のパッド４１の長さに沿って延在し、第１及び第２のパッド２１，４１の接触表面２１３，４１３の間に挟まれ、且つ接触する、保持部分４３１１ａを有する。収集袋４３のメインボディ４３１は、第２の排出開口４１０の内側周囲に沿って第２の排出開口４１０を介して延在する。収集袋４３は、望ましくは、第２のパッド４１の長さより大きい直径を有する。そのため、収集袋４３の開放端４３１１の残りの部分（即ち、第２のパッド４１に重畳する収集袋４３の開放端４３１１の保持部分４３１１ａから延在する上方部分）は、保持部分４３１１ａから第２のパッド４１の外側方向に延在する開放端４３１１のホールディング部分４３１１ｂを定義付け（図５参照）、支持ベース２に対する収集装置４の取付け、並びに支持ベース２からの収集装置４の取外し中に締め付けをする十分な長さを有する。加えて、カフ４３２は、任意に端部スリーブ４３２１を有して形成される（図６参照）。該スリーブは、収集袋４３が支持ベース２及び第２のパッド４１から取り外された後、収集袋を閉じ得るひも６上でスリーブされる（ｓｌｅｅｖｅｄ  ｏｎ）。
【００１３】
この実施例では、第１及び第２のパッド２１，４１の各々は、フリーアーム部２１２（４１２）を相互接続する後部２１４（４１４）を更に有する。第１及び第２のパッド２１，４１の各々のフリーアーム部２１２，４１２は、第１の方向において互いに対して対向する。第１及び第２のパッド２１，４１の各々のフリーアーム部２１２，４１２は、互いに対してそれから屈曲される屈曲自由端２１２１（４１２１）を有する。第１及び第２のパッド２１，４１のフリーアーム部２１２，４１２の屈曲自由端２１２１，４１２１は、それの間にギャップ５０を協働的に定義付ける。故に形成されるギャップ５０は、第１の方向に対して垂直である第２の方向において第１及び第２のパッド２１，４１の後部２１４，４１４に対して対向し、また第１のパッド２１における第１の排出開口２１０及び第２のパッド４１における第２の排出開口４１０と空間的に連絡する。ギャップ５０の形成は、第１及び第２のパッド２１，４１のフリーアーム部２１２，４１２の屈曲自由端２１２１，４１２１が動物の肛門から排出される動物の排泄物と望ましくなく接触する可能性を低減し得るだけではなく、カフ空間４３２０における第２のパッド４１の保持を確実にし、また、動物の尾根の上下の自由な運動を可能にもする。したがって、前述された従来の環境を損なわない動物の排泄物収集器において直面された動物の肛門と合わせられるべき位置から外れる支持ベースの動き及び動物の尾に対するクロス部材の突き合わせを防ぐ。望ましくは、第１及び第２のパッド２１，４１の各々のフリーアーム部２１２，４１２の各々の屈曲自由端２１２１（４１２１）は、先端を形成するようテイパされ、第１及び第２のパッド２１，４１のフリーアーム部２１２，４１２の屈曲自由端２１２１，４１２１が動物の肛門から排出される動物の排泄物と望ましくなく接触する可能性の低減への効果を強化する。
【００１４】
この実施例では、ハーネスユニット３は、接続リング３１と、首輪３３に対して接続されるよう適合される前方端及び接続リング３１に対して接続される後方端を有する前方トレーリングストラップ３２と、接続リング３１に対して接続される前方端及び第１のパッド２１に対して接続される後方端を有する一組の後方トレーリングストラップ３４と、接続リング３１に対して接続される前方端及び第１のパッド２１に対して接続される後方端を有する一組の側方トレーリングストラップ３５と、を有する。
【００１５】
前方及び後方トレーリングストラップ３２，３４のうち選択された１つ及び側方トレーリングストラップ３５の長さが長すぎる際、前方及び後方トレーリングストラップ３２，３４のうち選択された１つの端部と側方トレーリングストラップ３５とを順番に結びつけるよう、クランピングユニット７が任意で与えられる。この実施例では、クランピングユニット７は、図１中に最もよく示される通り、前方ストラップ３２の端部３２１を結びつけるよう使用される。クランピングユニット７は、２つの可撓性のクランピング片７１を有する（図７参照）。クランピング片の各々は、ゴム及びエラストマ等である弾性材料を有して作られ、夫々舌部７２及び溝７３を有して形成される２つの対向する端部を有する。クランピング片７１の一方の舌部７２及び溝７３は、クランピング片７１の他方の溝７３及び舌部７２と夫々圧入式に係合可能である（図１参照）。
【００１６】
図１，５，１０，及び１１を参照すると、使用時に、支持ベース２は、動物の臀部に置かれ、ハーネスユニット３の着用及び調整を介して動物の肛門と位置を合わせられる。収集袋４３は、例えばサンドイッチ用の袋の形状であり、カフ４３２を形成するよう折り畳まれる。第２の磁気タブレット４２１を備えられる第２のパッド４１は、カフ空間４３２０へと続いて挿入される。第２のパッド４１を有する収集袋４３は、続いて、指でつままれ得（図５参照）、支持ベース２に向かって動かされ得、事前の位置合わせ及び支持ベース２を掴むよう他方の手を使用すること無く、取付け作業を実行する。支持ベース２からの収集袋４３の取外しは、一方の手だけで開放端４３１１のホールディング部分４３１１ｂをつまむことによって、容易に実行され得る。ホールディング部分４３１１ｂは、保持部分４３１１ａから延在し、第２のパッド４１の外側方向に配置される（図１１及び１２参照）、その後、そこからはがされる（図９Ａ乃至９Ｃ参照）。第１及び第２のパッド２１，４１がＵ字型であり且つ十分な長さを有するため、排泄中の動物の身体の屈曲による支持ベース２の僅かに上方向への動きは、前述された位置ずれという問題点をもはや引き起こさず、第１及び第２の排出開口２１０，４１０は、新しい位置において動物の肛門に依然として位置合わせをされ得、したがって、第１のパッド２１が動物の排泄中に排泄物に触れ得ることを防ぐ、ことは留意される。
【００１７】
図８Ａ及び８Ｂは、第１及び第２の磁気タブレット２２１，４２１を介して第２のパッド４１が第１のパッド２１に対していかに容易且つ便利に取り付けられ得るか、に関する一連の段階を示す。操作中、第２のパッド４１（第２のパッド４１に対して取付けられる収集袋４３が明確にするよう図示されない、ことは留意される）が特に位置を合わせることなく第１のパッド２１に向かって動かされ、限界位置に達する際（図８Ａ参照）、第１及び第２の磁気タブレット２２１，４２１間の引力により、第２のパッド４１は、自動的に第１のパッド２１に対して動かされ、位置合わせをされる（図８Ｂ参照）。
【００１８】
図９Ａ乃至９Ｃは、第２のパッド４１が、第１及び第２の磁気タブレット２２１，４２１の配置及び第２のパッド４１の可撓性に基づき、いかに容易且つ潤滑に第１のパッド２１から剥がされ得、その結果、支持ベース２からの収集装置４の取外しを促進するか、を図示する。
【００１９】
第１及び第２の磁気タブレット２２１，４２１の配置は、容易性を達成するよう改善され得る。即ち、前述の従来通りの環境を損なわない動物の排泄物収集器によって求められる、第２のパッド４１の第１のパッド２１に対する取付けにおいて、第２のパッド４１の第１のパッド２１との事前の位置合わせは省かれる。例えば、第１及び第２の磁気タブレット２２１，４２１の配置は、第１の磁気ユニット２２の列の一方の第１の磁気タブレット２２１の接触端部２２１１が第１の磁極性を有し、第１の磁気ユニット２２の列の他方の第１の磁気タブレット２２１の接触端部２２１１が第１の磁極性に対して対向する第２の磁極性を有し、また、第２の軸タブレット４２１の各々の接触端部４２１１が第１の磁気タブレット２２１の夫々の接触端部２２１１の磁極性に対して対向する磁極性を有するよう、実施され得る。あるいは、該配置は、第１の磁気ユニット２２の列の各々の第１の磁気タブレット２２１の各々の接触端部２２１１が第１の磁気ユニット２２の列の夫々の第１の磁気タブレット２２１のうち近接する１つの接触端部２２１１の磁極性に対して対向する磁極性を有し、第２の磁気タブレット４２１の各々の接触端部４２１１が第１の磁気タブレット２２１の夫々の接触端部２２１１の磁極性に対して対向する磁極性を有するよう、実施され得る。あるいは、第１及び第２のパッド２１，４１の一方は、少なくとも１つの磁気タブレットを備えられ得、第１及び第２のパッド２１，４１の他方は、磁気タブレットに対して磁気によって引きつけられる磁気的に誘引性のタブレットを備えられ得、第１及び第２のパッド２１，４１間の磁気による取付け及び位置合わせを可能にする。
【００２０】
本発明の環境を損なわない動物の排泄物収集器において第１及び第２の磁気タブレット２２１，４２１を有することにより、並びに、本発明の環境を損なわない動物の排泄物収集器の第１及び第２のパッド２１，４１のフリーアーム部２１２，４１２の屈曲自由端２１２１，４１２１間にギャップ５０を形成することにより、先行技術に関連付けられる前述された問題点は、排除され得る。
【００２１】
更には、支持ベース２に対する収集袋４３の取付け及び支持ベース２からの収集袋４３の取外しは、片手のみを使用して比較的迅速に実施され得る。更に、第２のパッド４１を有する収集袋４３のカフ４３２が単純に折り畳むことによって形成されるため、本発明において用いられる収集袋４３は、一般的なビニール袋、紙袋、再利用された袋又は使用済みの袋であり得、例えば使用済みのサンドイッチ用の袋、使用済みのクッキー用の袋、使用済みのキャンディー用の袋、使用済みの食料品入れの袋、使用済みのファーストフード用の袋等であり得る。よって、収集袋４３の使用は、大変環境に配慮したものであり得る。加えて、第２のパッド４１は、カフ４３２を動物から排出される排泄物に接触することから保護し、収集袋４３から容易且つ直接的に取り出され得、反復的に使用され得、長い寿命を有し、これもまた環境に配慮したものである。また、収集袋４３の交換は、比較的便利である。第１及び第２のパッド２１，４１のＵ字型の設計も、ギャップ５０を介する、並びに第１及び第２の排出開口２１０，４１０に出入りする、動物の尾根の運動を可能にし、したがって、動物の不快感及び支持ベースと動物の肛門との位置合わせに関する、先行技術において直面された前述の問題点を防ぐ。収集袋４３が、第１及び第２のパッド２１，４１の長さより大きい直径を有し、且つ折畳み可能であるため、収集バッグ４３の上方部分４３３（図１０及び１１を参照）（即ち、第２のパッド４１に重畳しないが、第２のパッド４１の上方に配置される部分）は、支持ベース２からの収集装置４の分離又は損傷を引き起こすことなく、動物の尾によって干渉され得る。また、第１及び第２のパッド２１，４１のＵ字型の設計、及び収集袋４３の構造により、収集袋への犬の尾の延在、又は排出開口と動物の肛門との間の位置ずれに関する前述された問題点は、避けられ得る。よって、環境を損なわない動物の排泄物収集器は、長い尾を有する犬に対して使用され得るだけではなく、ブルドッグ、シュナウザー、ドーベルマン等の比較的短い尾を有する犬に対しても使用され得る。
【００２２】
本発明は、最も実用的且つ望ましいと考えられる実施例に関連して説明されてきたが、本発明は、開示された実施例に制限されず、最も広い解釈及び同等の配置の趣旨及び範囲内に有される多種の配置を対象とするよう意図される、ことは理解される。
【図面の簡単な説明】
【００２３】
【図１】使用状態にある本発明に従った環境を損なわない動物の排泄物収集器の望ましい実施例の斜視図である。
【図２】望ましい実施例の概略的な部分分解図である。
【図３】望ましい実施例の第１及び第２のパッドにおいて夫々埋め込まれる第１及び第２の磁気タブレットの配置を図示する、分解斜視図である。
【図４】望ましい実施例の第１及び第２のパッドの構造を図示する組立て斜視図である。
【図５】第１のパッドに対して収集袋を取り付けるよう望ましい実施例の収集袋のカフのカフ空間においていかに第２のパッドが受けられるかを図示する、斜視図である。
【図６】望ましい実施例の収集袋のカフに対するストリングの接続のされ方を図示する、斜視図である。
【図７】望ましい実施例のクランピング部材の構造を図示する、分解斜視図である。
【図８Ａ】望ましい実施例の使用中、第２の磁気タブレットを上に与えられる第２のパッドが、第１の磁気タブレットを上に与えられる第１のパッドに対してどのように取り付けられるかを連続的な段階で図示する、概略的側面図である。
【図８Ｂ】望ましい実施例の使用中、第２の磁気タブレットを上に与えられる第２のパッドが、第１の磁気タブレットを上に与えられる第１のパッドに対してどのように取り付けられるかを連続的な段階で図示する、概略的側面図である。
【図９Ａ】望ましい実施例の使用中、第２の磁気タブレットを上に与えられる第２のパッドが、第１の磁気タブレットを上に与えられる第１のパッドからどのように剥がされるかを連続的な段階で図示する、概略図である。
【図９Ｂ】望ましい実施例の使用中、第２の磁気タブレットを上に与えられる第２のパッドが、第１の磁気タブレットを上に与えられる第１のパッドからどのように剥がされるかを連続的な段階で図示する、概略図である。
【図９Ｃ】望ましい実施例の使用中、第２の磁気タブレットを上に与えられる第２のパッドが、第１の磁気タブレットを上に与えられる第１のパッドからどのように剥がされるかを連続的な段階で図示する、概略図である。
【図１０】ある種類の犬に対して使用状態にある望ましい実施例を図示する、斜視図である。
【図１１】他の種類の犬に対して使用状態にある望ましい実施例を図示する、斜視図である。
【符号の説明】
【００２４】
２        支持ベース
３        ハーネスユニット
４        収集装置
７        クランピング部材
３１      接続リング
３２      前方トレーリングストラップ
３３      首輪
４３      収集袋
３２１    端部
【図１】
2007275061.tif 000003
【図２】
2007275061.tif 000004
【図３】
2007275061.tif 000005
【図４】
2007275061.tif 000006
【図５】
2007275061.tif 000007
【図６】
2007275061.tif 000008
【図７】
2007275061.tif 000009
【図８Ａ】
2007275061.tif 000010
【図８Ｂ】
2007275061.tif 000011
【図９Ａ】
2007275061.tif 000012
【図９Ｂ】
2007275061.tif 000013
【図９Ｃ】
2007275061.tif 000014
【図１０】
2007275061.tif 000015
【図１１】
2007275061.tif 000016
【外国語明細書】
2007275061.tif 000017
2007275061.tif 000018
2007275061.tif 000019
2007275061.tif 000020
2007275061.tif 000021
2007275061.tif 000022
2007275061.tif 000023
2007275061.tif 000024
2007275061.tif 000025
2007275061.tif 000026
2007275061.tif 000027
2007275061.tif 000028
2007275061.tif 000029
2007275061.tif 000030
2007275061.tif 000031
2007275061.tif 000032
2007275061.tif 000033
2007275061.tif 000034
2007275061.tif 000035
2007275061.tif 000036
2007275061.tif 000037
2007275061.tif 000038
2007275061.tif 000039
2007275061.tif 000040
2007275061.tif 000041
2007275061.tif 000042
2007275061.tif 000043
2007275061.tif 000044
2007275061.tif 000045
2007275061.tif 000046
2007275061.tif 000047
2007275061.tif 000048
2007275061.tif 000049
2007275061.tif 000050
2007275061.tif 000051
2007275061.tif 000052
2007275061.tif 000053
2007275061.tif 000054
2007275061.tif 000055